(57)【特許請求の範囲】
【請求項１】
複層基板の内部を検査する基板検査装置であって、
前記複層基板に設定された検査対象領域を撮像する撮像部と、
前記検査対象領域に向けて前記撮像部側から赤外光または可視光を照射する反射照明部と、
前記反射照明部から赤外光または可視光のいずれを照射するか切り替える反射照明切替部と、
前記検査対象領域に向けて前記撮像部と対向する側から赤外光を照射する透過照明部と、
前記反射照明部および／または前記透過照明部の双方を使用するか又はいずれか一方を使用するかを切り替える照明方向切替部と、
前記撮像部で撮像した画像に基づいて前記検査対象領域内に存在する異物を検出する異物検出部と、
赤外光を照射して撮像した画像に基づく異物検出結果から可視光を照射して撮像した画像に基づく異物検出結果の差分処理を行う差分処理部とを備え、
前記赤外光を照射して撮像した画像に基づく異物検出結果が、前記反射照明部から照射された赤外光によるものであり、
前記可視光を照射して撮像した画像に基づく異物検出結果が、前記反射照明部から照射された可視光によるものである
ことを特徴とする、基板検査装置。
【請求項２】
複層基板の内部を検査する基板検査装置であって、
前記複層基板に設定された検査対象領域を撮像する撮像部と、
前記検査対象領域に向けて前記撮像部側から赤外光または可視光を照射する反射照明部と、
前記反射照明部から赤外光または可視光のいずれを照射するか切り替える反射照明切替部と、
前記検査対象領域に向けて前記撮像部と対向する側から赤外光を照射する透過照明部と、
前記反射照明部および／または前記透過照明部の双方を使用するか又はいずれか一方を使用するかを切り替える照明方向切替部と、
前記撮像部で撮像した画像に基づいて前記検査対象領域内に存在する異物を検出する異物検出部と、
赤外光を照射して撮像した画像に基づく異物検出結果から可視光を照射して撮像した画像に基づく異物検出結果の差分処理を行う差分処理部とを備え、
前記赤外光を照射して撮像した画像に基づく異物検出結果が、前記反射照明部から照射された赤外光および前記透過照明部から照射された赤外光によるものであり、
前記可視光を照射して撮像した画像に基づく異物検出結果が、前記反射照明部から照射された可視光によるものである
ことを特徴とする、基板検査装置。
【請求項３】
複層基板の内部を検査する基板検査方法であって、
前記複層基板に設定された検査対象領域に向けて赤外光を照射し、当該検査対象領域から反射した光を撮像する、赤外反射光による撮像ステップと、
前記検査対象領域に向けて前記複層基板の第１主面側から可視光を照射し、当該検査対象領域から反射した光を撮像する、可視反射光による第１主面撮像ステップと、
前記複層基板を表裏反転させるステップと、
前記検査対象領域に向けて前記複層基板の第２主面側から可視光を照射し、当該検査対象領域から反射した光を撮像する、可視反射光による第２主面撮像ステップと、
前記赤外反射光による撮像ステップで取得した画像に基づく検査結果から、可視反射光による第１主面撮像ステップで取得した画像に基づく検査結果および可視反射光による第２主面撮像ステップで取得した画像に基づく検査結果を差分処理するステップとを有する、基板検査方法。
【請求項４】
前記赤外反射光による撮像ステップが、
前記複層基板の第１主面側から前記検査対象領域に向けて赤外光を照射し、当該検査対象領域から反射した光を前記複層基板の第１主面側から撮像するステップと、
前記複層基板を表裏反転させるステップと、
前記複層基板の第２主面側から前記検査対象領域に向けて赤外光を照射し、当該検査対象領域域から反射した光を前記複層基板の第２主面側から撮像するステップとを有する
ことを特徴とする、請求項３に記載の基板検査方法。
【請求項５】
複層基板の内部を検査する基板検査方法であって、
前記複層基板に設定された検査対象領域に向けて赤外光を照射し、当該検査対象領域を通過した光を撮像する、赤外透過光による撮像ステップと、
前記検査対象領域に向けて前記複層基板の第１主面側から可視光を照射し、当該検査対象領域から反射した光を撮像する、可視反射光による第１主面撮像ステップと、
前記複層基板を表裏反転させるステップと、
前記検査対象領域に向けて前記複層基板の第２主面側から可視光を照射し、当該検査対象領域から反射した光を撮像する、可視反射光による第２主面撮像ステップと、
前記赤外透過光による撮像ステップで取得した画像に基づく検査結果から、可視反射光による第１主面撮像ステップで取得した画像に基づく検査結果および可視反射光による第２主面撮像ステップで取得した画像に基づく検査結果を差分処理するステップとを有する、基板検査方法。
【請求項６】
前記赤外透過光による撮像ステップが、
前記複層基板の第１主面側から前記検査対象領域に向けて赤外光を照射し、当該検査対象領域を通過した光を前記複層基板の第２主面側から撮像するステップと、
前記複層基板を表裏反転させるステップと、
前記複層基板の第２主面側から前記検査対象領域に向けて赤外光を照射し、当該検査対象領域を通過した光を前記複層基板の第１主面側から撮像するステップとを有する
ことを特徴とする、請求項５に記載の基板検査方法。
【請求項７】
複層基板の内部を検査する基板検査方法であって、
前記複層基板に設定された検査対象領域に向けて赤外光を照射し、当該検査対象領域から反射した光および当該検査対象領域を通過した光を撮像する、赤外反射光および赤外透過光による撮像ステップと、
前記検査対象領域に向けて前記複層基板の第１主面側から可視光を照射し、当該検査対象領域から反射した光を撮像する、可視反射光による第１主面撮像ステップと、
前記複層基板を表裏反転させるステップと、
前記検査対象領域に向けて前記複層基板の第２主面側から可視光を照射し、当該検査対象領域から反射した光を撮像する、可視反射光による第２主面撮像ステップと、
前記赤外透過光および赤外反射光による撮像ステップで取得した画像に基づく検査結果から、可視反射光による第１主面撮像ステップで取得した画像に基づく検査結果および可視反射光による第２主面撮像ステップで取得した画像に基づく検査結果を差分処理するステップとを有する、基板検査方法。
【請求項８】
前記赤外透過光および赤外反射光による撮像ステップが、
前記複層基板の第１主面側から前記検査対象領域に向けて赤外光を照射し、当該検査対象領域から反射した光を前記複層基板の第１主面側から撮像するステップと、当該検査対象領域を通過した光を前記複層基板の第２主面側から撮像するステップと、
前記複層基板を表裏反転させるステップと、
前記複層基板の第２主面側から前記検査対象領域に向けて赤外光を照射し、当該検査対象領域から反射した光を前記複層基板の第２主面側から撮像するステップと、当該検査対象領域を通過した光を前記複層基板の第２主面側から撮像するステップとを有する
ことを特徴とする、請求項７に記載の基板検査方法。
【発明の詳細な説明】
【技術分野】
【０００１】
本発明は、貼合せ基板ならびに表面がコーティングまたは封止された基板（つまり、複層基板）の内部に潜む異物を検出したり、内部構造物が所定の寸法および形状で形成されているかを検査したり、積層界面に気泡が混入していないか等を検査したりする、基板検査装置および方法に関する。
【背景技術】
【０００２】
従来より、微細な可動部を有する部品（例えば、センサやジャイロ、マイクロリレーなど）を、ＭＥＭＳ（Micro electro mechanical systems）などの積層構造物をシリコンウエハーなどにより形成する技術が周知である（例えば、特許文献１）
そして、この様な基板の内部の特定レイヤー（機能層など）に潜む異物を検査する技術が提案されている（例えば、特許文献２）。
【先行技術文献】
【特許文献】
【０００３】
【特許文献１】特開２０１０−６９５９９号公報
【特許文献２】特開２０１４−１２６４３６号公報
【発明の概要】
【発明が解決しようとする課題】
【０００４】
ＭＥＭＳなどの積層構造物は、内部に空洞や隙間が多く存在しており、特に隣り合う構造物との隙間が狭い部分に異物が存在すると、微細な可動部の動作を阻害することとなり、所望の性能を発揮できないおそれがある。
【０００５】
しかし特許文献２の技術では、透過方式の照明を用いて、貼合せされた基板内部の特定レイヤーに焦点を合わせ、異物検査を行っているが、パッケージングされた基板の表面や裏面に異物やコンタミなどが付いていると、後で除去できるものであっても、異物などがあると判定してしまう。
【０００６】
そこで本発明は、貼合せ基板ならびに表面がコーティングまたは封止された複層基板について、当該複層基板のオモテ面またはウラ面に異物やコンタミなどが付いていたしてもこれらは検出せず、当該複層基板の内部に特化して検査ができる装置および方法を提供することを目的とする。
【課題を解決するための手段】
【０００７】
上記課題を解決するため、本発明の一観点に係る態様は、
複層基板の内部を検査する基板検査装置であって、
前記複層基板に設定された検査対象領域を撮像する撮像部と、
前記検査対象領域に向けて前記撮像部側から赤外光または可視光を照射する反射照明部と、
前記反射照明部から赤外光または可視光のいずれを照射するか切り替える反射照明切替部と、
前記検査対象領域に向けて前記撮像部と対向する側から赤外光を照射する透過照明部と、
前記反射照明部および／または前記透過照明部の双方を使用するか又はいずれか一方を使用するかを切り替える照明方向切替部と、
前記撮像部で撮像した画像に基づいて前記検査対象領域内に存在する異物を検出する異物検出部と、
赤外光を照射して撮像した画像に基づく異物検出結果から可視光を照射して撮像した画像に基づく異物検出結果の差分処理を行う差分処理部とを備え、
前記赤外光を照射して撮像した画像に基づく異物検出結果が、前記反射照明部から照射された赤外光によるものであり、
前記可視光を照射して撮像した画像に基づく異物検出結果が、前記反射照明部から照射された可視光によるものである
ことを特徴とする、基板検査装置である。
【０００８】
また、本発明の他の一観点に係る態様は、
複層基板の内部を検査する基板検査方法であって、
前記複層基板に設定された検査対象領域に向けて赤外光を照射し、当該検査対象領域から反射した光を撮像する、赤外反射光による撮像ステップと、
前記検査対象領域に向けて前記複層基板の第１主面側から可視光を照射し、当該検査対象領域から反射した光を撮像する、可視反射光による第１主面撮像ステップと、
前記複層基板を表裏反転させるステップと、
前記検査対象領域に向けて前記複層基板の第２主面側から可視光を照射し、当該検査対象領域から反射した光を撮像する、可視反射光による第２主面撮像ステップと、
前記赤外反射光による撮像ステップで取得した画像に基づく検査結果から、可視反射光による第１主面撮像ステップで取得した画像に基づく検査結果および可視反射光による第２主面撮像ステップで取得した画像に基づく検査結果を差分処理するステップとを有する、基板検査方法である。
【０００９】
また、本発明の他の一観点に係る態様は、
複層基板の内部を検査する基板検査方法であって、
前記複層基板に設定された検査対象領域に向けて赤外光を照射し、当該検査対象領域を通過した光を撮像する、赤外透過光による撮像ステップと、
前記検査対象領域に向けて前記複層基板の第１主面側から可視光を照射し、当該検査対象領域から反射した光を撮像する、可視反射光による第１主面撮像ステップと、
前記複層基板を表裏反転させるステップと、
前記検査対象領域に向けて前記複層基板の第２主面側から可視光を照射し、当該検査対象領域から反射した光を撮像する、可視反射光による第２主面撮像ステップと、
前記赤外透過光による撮像ステップで取得した画像に基づく検査結果から、可視反射光による第１主面撮像ステップで取得した画像に基づく検査結果および可視反射光による第２主面撮像ステップで取得した画像に基づく検査結果を差分処理するステップとを有する、基板検査方法である。
【００１０】
また、本発明の他の一観点に係る態様は、
複層基板の内部を検査する基板検査方法であって、
前記複層基板に設定された検査対象領域に向けて赤外光を照射し、当該検査対象領域から反射した光および当該検査対象領域を通過した光を撮像する、赤外反射光および赤外透過光による撮像ステップと、
前記検査対象領域に向けて前記複層基板の第１主面側から可視光を照射し、当該検査対象領域から反射した光を撮像する、可視反射光による第１主面撮像ステップと、
前記複層基板を表裏反転させるステップと、
前記検査対象領域に向けて前記複層基板の第２主面側から可視光を照射し、当該検査対象領域から反射した光を撮像する、可視反射光による第２主面撮像ステップと、
前記赤外透過光および赤外反射光による撮像ステップで取得した画像に基づく検査結果から、可視反射光による第１主面撮像ステップで取得した画像に基づく検査結果および可視反射光による第２主面撮像ステップで取得した画像に基づく検査結果を差分処理するステップとを有する、基板検査方法である。
【発明の効果】
【００１１】
複層基板について、当該複層基板のオモテ面またはウラ面に異物やコンタミなどが付いていたしてもこれらは検出せず、当該複層基板の内部に特化して検査ができる装置および方法を提供することを目的とする。
【図面の簡単な説明】
【００１２】
【図１】検査対象となる複層基板の一例を示す概略図である。
【図２】本発明を具現化する形態の一例を示す概略図である。
【図３】本発明を適用して複層基板を撮像および検査する一例を示すフロー図である。
【図４】本発明を適用して検査する複層基板を撮像および検査した様子の一例を示す平面図である。
【図５】本発明を適用して検査する複層基板を撮像および検査した様子の別の一例を示す平面図である。
【図６】本発明を適用して検査する複層基板を撮像および検査した様子のさらに別の一例を示す平面図である。
【図７】本発明を適用して複層基板を撮像および検査する他の一例を示すフロー図である。
【発明を実施するための形態】
【００１３】
本発明を実施するための形態について、図を用いながら説明する。各図において直交座標系の３軸をＸ、Ｙ、Ｚとし、ＸＹ平面を水平面、Ｚ方向を鉛直方向とする。特にＺ方向は矢印の方向を上とし、その逆方向を下と表現する。
【００１４】
検査対象物として複層基板の内部に櫛歯状の微小な片持ち梁が形成されたもの（以下、単に「複層基板Ｗ」と呼ぶ）を例示する。この複層基板Ｗは、シリコンウエハーの表面を加工することにより内部の構造物を成形した後、その上面側からガラスやシリコンからなる基板でキャップ封止しており、いわゆる中空構造をしている。なお、複層基板Ｗの一方の面を、第１主面（または、単に「オモテ面」）Ｓ１と呼ぶ。また、この面と表裏の関係にある他方の面を、第２主面（または、単に「ウラ面」）Ｓ２と呼ぶ。
【００１５】
図１は、検査対象となる複層基板の一例を示す概略図であり、図１（ａ）には断面図が示されており、図１（ｂ）には平面図が示されている。そして、図１（ａ）（ｂ）には、内部構造物Ｇを有する複層基板Ｗと、その内部に存在する異物（つまり、検出すべき異物）Ｘ１〜Ｘ３と、複層基板Ｗのオモテ面Ｓ１またはウラ面Ｓ２に付着した異物（つまり、検出したくない異物）Ｙ１，Ｙ２が、それぞれ示されている。また、複層基板Ｗの内、検査対象領域Ｒが破線で示されている。
【００１６】
図２は、本発明を具現化する形態の一例を示す概念図であり、検査対象領域の画像を取得するために用いる機器の概略図と、取得した画像に基づく検査に必要な構成のブロック図が複合的に記載されている。
【００１７】
本発明を具現化する基板検査装置１は、複層基板Ｗの内部に潜む異物を検出したり、内部構造物が所定の寸法や形状で形成されているかを検査したり、積層界面に気泡が混入していないか等を検査したりするものである。基板検査装置１は、基板保持部２と、撮像部３と、照明部４と、検査部５とを備えている。
【００１８】
基板保持部２は、検査対象となる複層基板Ｗを載置し、所定の姿勢で保持し、必要に応じて移動／回転させたり静止させたりするものである。具体的には、基板保持部２は、基板ホルダ２０と、Ｘ軸スライダー２１と、Ｙ軸スライダー２２と、回転機構２３とを備えて構成されている。
【００１９】
基板ホルダ２０は、検査対象となる複層基板ＷをＸＹ方向と平行な状態で、複層基板Ｗの検査対象領域Ｒよりも外側の外縁部分を下面又は側面から保持するものである。具体的には、基板ホルダ２０は、複層基板Ｗの検査対象領域Ｒよりも広い開口部２０ｈが設けられたリング状の枠体にて構成されており、複層基板Ｗの外縁部分と接する部分には、溝や細孔が形成されている。そして当該溝や細孔は、開閉バルブを経由して、真空源や圧空源に接続されている。或いは、基板ホルダ２０は、上述の溝や細孔に代えて、クランプ機構などの複層基板Ｗの外縁部分の複数箇所を外側から内側に向けて挟み込む機構を備えた構成としても良い。
【００２０】
Ｘ軸スライダー２１は、装置フレーム１ｆ上に取り付けられており、Ｙ軸スライダー２２をＸ方向に任意の速度で移動させ、任意の位置で静止させるものである。具体的には、Ｘ軸スライダーは、Ｘ方向に延びる１対のレールと、そのレール上を移動するスライダー部と、スライダー部を移動／静止させるスライダー駆動部とで構成されている。スライダー駆動部は、外部機器からの信号制御により回転／静止するサーボモータやパルスモータとボールネジ機構を組み合わせたものや、リニアモータ機構などで構成することができる。
【００２１】
Ｙ軸スライダー２２は、回転機構２３をＹ方向に任意の速度で移動させ、任意の位置で静止させるものである。具体的には、Ｙ軸スライダーは、Ｙ方向に延びる１対のレールと、そのレール上を移動するスライダー部と、スライダー部を移動／静止させるスライダー駆動部とで構成されている。スライダー駆動部は、外部機器からの信号制御により回転／静止するサーボモータやパルスモータとボールネジ機構を組み合わせたものや、リニアモータ機構などで構成することができる。
【００２２】
回転機構２３は、基板ホルダ２０をＺ軸を回転中心とするθ方向に任意の速度で回転させ、任意の角度で静止させるものである。具体的には、回転機構２３は、ダイレクトドライブモータなどの、外部機器からの信号制御により任意の角度に回転／静止させるものが例示できる。回転機構２３の回転する側の部材の上には、連結部材２４を介して基板ホルダ２０が取り付けられている。
【００２３】
この様な構成をしているため、基板保持部２は、検査対象となる複層基板Ｗを載置し、所定の姿勢で保持したまま、必要に応じて複層基板ＷをＸＹθ方向にそれぞれ独立させて又は複合的に、所定の速度・角度で移動させ、任意の位置・角度で静止させることができる。
【００２４】
撮像部３は、検査対象となる複層基板Ｗに設定された検査対象領域Ｒを、上方から撮像するものである。
【００２５】
具体的には、撮像部３は、鏡筒３０と、ハーフミラー３１と、対物レンズ３４ａ，３４ｂと、撮像カメラ３５とを含んで構成されている。
【００２６】
鏡筒３０は、ハーフミラー３１、対物レンズ３４ａ，３４ｂ、撮像カメラ３５、後述する照明手段などを所定の間隔で固定すると共に、外部からの不必要な光を遮断するものであり、中空の筐体である。
【００２７】
ハーフミラー３１は、後述する同軸落斜照明３１から照射された光を反射させて複層基板Ｗに向けて照射するとともに、検査対象領域Ｒから反射した光や複層基板Ｗの下面から検査対象領域Ｒ通過した光（つまり、検査対象領域Ｒから上方に放出される光３２）を通過させるものである。
【００２８】
対物レンズ３４ａ，３４ｂは、複層基板ＷのＸＹ平面にある像を撮像カメラ３５に投影・結像させるものである。対物レンズ３４ａ，３４ｂは投影倍率が異なり、レボルバー機構により適宜切り替えが可能である。
【００２９】
撮像カメラ３５は、例えばＣＣＤやＣＭＯＳなどのエリアセンサーやラインセンサーなどを受光素子３６として備え、検査対象領域Ｒから上方に放出される光３２を撮像し、撮像した画像に対応した映像信号やデータを外部機器へ出力するものである。
【００３０】
照明部４は、複層基板Ｗに設定された検査対象領域Ｒに向けて照明光をを照射するものである。具体的には、照射部４は、反射照明部、透過照明部４３、照明方向切替部４６とを備えて構成されている。ここでは、本発明に係る反射照明部の一類型として、同軸落斜照明部４１を備えた構成を例示して説明をする。
【００３１】
同軸落斜照明部４１は、撮像カメラ３５側（つまり、複層基板Ｗの上方）の光軸方向から検査対象領域Ｒに向けて照明光４１Ｌを照射するものである。同軸落斜照明部４１は、光源部４１ａ、シャッタ部４１ｂ、フィルタ部４１ｃ、フィルタ切替部４１ｄ、ファイバ部４１ｆを備えて構成されている。
【００３２】
光源部４１ａは、可視光および赤外光を含む光エネルギーを外部に放出するものである。具体的には、光源部４１ａには、ハロゲンランプやメタルハライドランプ、キセノンランプなどの白熱電球と、必要に応じて楕円ミラーと呼ばれる反射手段が備えられている。
【００３３】
シャッタ部４１ｂは、光源部４１ａから放出された光を外部に放出する（つまり、開状態）か、遮断する（つまり、閉状態）かを切り替えるものである。具体的には、シャッタ部４１ｂは、光源部４１ａから放出された光を反射又は吸収して遮蔽する遮蔽板と、遮蔽板を回転移動又は直線移動させるアクチュエータ（例えば、ソレノイド）とを備えて構成されている。なお、シャッタ部４１ｂは、図２中において実線で示す状態が「開状態」であり、破線で示す状態が「閉状態」である。
【００３４】
フィルタ部４１ｃは、光源部４１ａから放出された光のうち、赤外光又は可視光を選択的に透過させるものである。具体的には、フィルタ部４１ｃには、可視光を減衰または反射させて赤外光を通過させる赤外光透過フィルタと、赤外光を減衰または反射させて可視光を通過させる可視光透過フィルタが備えられている。
【００３５】
フィルタ切替部４１ｄは、フィルタ部４１ｃの赤外光透過フィルタと可視光透過フィルタのいずれを用いるかを選択的に切り替えるものであり、本発明に係る反射照明切替部を構成する。具体的には、フィルタ切替部４１ｄは、赤外光透過フィルタと可視光透過フィルタが組み込まれたホルダを回転させたり往復動作させることで、光源部４１ａから放出された光のうち、照明光４１Ｌとして赤外光を通過させるか又は可視光を通過させるかを選択的に切り替える。この切替動作は、外部機器からの信号制御により自動的に行っても良いし、作業者により手動で行っても良い。
【００３６】
ファイバ部４１ｆは、フィルタ部４１ｃを通過させた光を鏡筒３０に導くものである。具体的には、ファイバ部４１ｆとして、細長いガラス材又はプラスチック樹脂などを多数束ねたもの（いわゆる、ライトガイド）が例示できる。
【００３７】
透過照明部４３は、複層基板Ｗを挟んで撮像カメラ３５と対向する側（つまり、複層基板の下方）から検査対象領域Ｒに向けて照明光４３Ｌを照射するものである。透過照明部４３は、光源部４３ａ、シャッタ部４３ｂ、フィルタ部４３ｃ、フィルタ切替部４３ｄ、ファイバ部４３ｆ、反射ミラー４３ｅを備えて構成されている。
【００３８】
光源部４３ａ、シャッタ部４３ｂ，フィルタ部４３ｃ，フィルタ切替部４３ｄ，ファイバ部４３ｆは、それぞれ上述の、光源部４１ａ，シャッタ部４３ｂ，フィルタ部４１ｃ，フィルタ切替部４１ｄ，ファイバ部４１ｆと同様の構成とすることができる。
【００３９】
反射ミラー４３ｅは、ファイバ部４３ｆにて導かれた光を反射し、検査対象領域Ｒに向けて照明光４３Ｌを照射するものである。具体的には、反射ミラー４３ｅは、載置テーブル２０の開口部２０ｈの下方に、撮像部３の対物レンズ３４ａと対向して配置されている。さらに、反射ミラー４３ｅは、載置テーブル２０と回転機構２３との間に配置されており、Ｘ軸スライダー２１，Ｙ軸スライダー２２，回転機構２３が移動しても、連結部材２４と干渉することなく、載置テーブル２０の開口部２０ｈから上方に向けて照明光４３Ｌを照射するよう配置されている。
【００４０】
照明方向切替部４６は、撮像部３の撮像カメラ３５で撮像を行う際に、同軸落斜照明部４１による上方からの照明光４１Ｌのみを用いるか、透過照明部４３による下方からの照明光４３Ｌのみを用いるか、或いは双方を用いるかを切り替えるものである。具体的には、照明方向切替部４６は、同軸落斜照明部４１，透過照明部４３のシャッター部４１ｂ，４３ｂのアクチュエータ（例えば、ソレノイド）と接続されており、制御信号を出力することによりアクチュエータをＯＮ／ＯＦＦ駆動させるものである。より具体的には、照明方向切替部４６は、パソコンやシーケンサなどの制御信号出力部により構成され、所定の電圧・電流を出力し、アクチュエータに印可させることで、遮蔽板が開状態または閉状態に切り替えるように構成されている。
【００４１】
この様な構成をしているため、基板検査装置１は、同軸落斜照明部４１のフィルタ部４１ｃとフィルタ切替部４１ｄ、透過照明部４３のフィルタ部４３ｃとフィルタ切替部４３ｄ、照明方向切替部４６とシャッタ部４１ｂ、４３ｂの切り替えることにより、次のようなモードやその他のモードに切り替えて撮像を行うことができる。
【００４２】
１）上方から赤外光（つまり、赤外反射光）のみを照射
２）下方から赤外光（つまり、赤外透過光）のみを照射
３）上方から赤外光（つまり、赤外反射光）と、下方から赤外光（つまり、赤外透過光）を照射
４）上方から可視光（つまり、可視反射光）のみを照射
【００４３】
検査部５は、撮像カメラ３５で撮像された画像に対して所定の検査を行うものである。検査項目としては、異物や気泡の有無確認、検出した異物や気泡の個数カウントや大きさ測定、内部構造物のパターン形状の確認や寸法計測などが例示できる。
【００４４】
検査部５は、異物検出部５１と、差分処理部５２とを備えて構成されている。
異物検出部５１は、撮像部３で撮像した画像に基づいて検査対象領域Ｒ内に存在する異物を検出するものである。差分処理部５２は、赤外光を照射して撮像した画像に基づく異物検出結果から可視光を照射して撮像した画像に基づく異物検出結果の差分処理を行うものである。検査部５ならびに異物検出部５１、差分処理部５２は、画像処理装置（ハードウェア）と、画像処理プログラム（ソフトウェア）により構成されている。
【００４５】
より具体的には、検査部５は、第１検査結果記録部と、第２検査結果記録部と、第３検査結果記録部とを備えた構成としても良い。第１検査結果記録部は、第１の検査モードにて撮像した画像に基づく検査結果を記録しておくものである。同様に、第２検査結果記録部と、第３検査結果記録部は、それぞれ、第２，第３の検査モードにて撮像した画像に基づく検査結果を記録しておくものである。そして、これら第１〜第３検査結果記録部は、検査部５を構成する画像処理装置のメモリー部にて構成することができる。そして、差分処理部５２は、第１〜第３検査結果記録部に記録された各検査結果に対して差分処理を行う。
【００４６】
下記の照明光照射モードに切り替えて撮像および検査を行う。
【００４７】
１）第１の検査モード・・・赤外光による複層基板Ｗの検査
さらにこのモードは、下記のいずれかを選択する。
【００４８】
１−１）上方から赤外光（つまり、赤外反射光）のみを照射
１−２）下方から赤外光（つまり、赤外透過光）のみを照射
１−３）上方から赤外光（つまり、赤外反射光）と、下方から赤外光（つまり、赤外透過光）の双方を照射
２）第２の検査モード・・・可視光による複層基板Ｗのオモテ面Ｓ１側の検査
３）第３の検査モード・・・可視光による複層基板Ｗのウラ面Ｓ２側の検査
【００４９】
［撮像・検査フロー］
【００５０】
図３は、本発明を適用して複層基板を撮像および検査する一例を示すフロー図である。
まず、載置テーブル２０に、複層基板Ｗをオモテ面Ｓ１側が上になる様に載置する（ステップｓ１０１）。
そして、複層基板Ｗオモテ面Ｓ１側から検査対象領域Ｒに向けて赤外反射光を照射し、撮像・検査を行う（ステップｓ１０２）。ここでは検査結果Ａと呼ぶ。
次に、複層基板Ｗオモテ面Ｓ１側から検査対象領域Ｒに向けて可視反射光を照射し、撮像・検査を行う（ステップｓ１０３）。ここでは検査結果Ｂと呼ぶ。
次に、複層基板Ｗを反転させ、ウラ面Ｓ２側が上になる様に載置する（ステップｓ１０４）。
次に、複層基板Ｗウラ面Ｓ２側から検査対象領域Ｒに向けて可視反射光を照射し、撮像・検査を行う（ステップｓ１０５）。ここでは検査結果Ｃと呼ぶ。
そして、検査部５は、検査結果Ａから検査結果Ｂ，検査結果Ｃの差分を演算処理し、検査結果Ｄを取得する（ステップｓ１０７）。
また、検査部５は、必要に応じて検査結果Ｄを出力する（ステップｓ１０８）。この出力の形態としては、画像処理装置のメモリー部に検査結果Ｄを記憶させたり、基板検査装置の情報表示器に表示させたり、外部機器へデータ送信さたり、単に警報やブザーを鳴らしたりする形態が例示できる。
【００５１】
図４は、本発明を適用して検査する複層基板を撮像および検査した様子の一例を示す平面図である。
図４（ａ）には、複層基板Ｗの検査対象領域Ｒを第１の照明光照射モードにて撮像した画像が示されており、具体的には、複層基板Ｗのオモテ面Ｓ１を上にして配置し、上方から赤外光（つまり、赤外反射光）のみを照射して撮像した画像である。この第１の照明光照射モードでは、撮像部３において、複層基板Ｗおよび内部構造物、空洞部に対して赤外光がの一部が透過し、一部が反射するため、撮像画像としては明画像として撮像される。一方、複層基板Ｗの内部に存在する異物Ｘ１〜Ｘ３と、複層基板Ｗのオモテ面Ｓ１またはウラ面Ｓ２に付着した異物Ｙ１，Ｙ２は、赤外光が異物の表面で散乱するため、撮像画像としては暗画像として撮像される。
【００５２】
図４（ｂ）には、複層基板Ｗの検査対象領域Ｒを第２の照明光照射モードにて撮像した画像が示されており、具体的には、複層基板Ｗのオモテ面Ｓ１を上にして配置し、上方から可視光のみを照射して撮像した画像である。この第２の照明光照射モードでは、撮像部３において、複層基板Ｗのオモテ面Ｓ１に対して可視光が反射するため明画像として撮像され、複層基板Ｗのオモテ面Ｓ１に付着した異物Ｙ１の表面で可視光が散乱するため暗画像として撮像される。
【００５３】
図４（ｃ）には、複層基板Ｗの検査対象領域Ｒを第３の照明光照射モードにて撮像した画像が示されており、具体的には、複層基板Ｗのウラ面Ｓ２を上にして配置し、上方から可視光のみを照射して撮像した画像である。この第３の照明光照射モードでは、撮像部３において、複層基板Ｗのウラ面Ｓ２に対して可視光が反射するため明画像として撮像され、複層基板Ｗのウラ面Ｓ２に付着した異物Ｙ２の表面で可視光が散乱するため暗画像として撮像される。なお、上述の図４（ａ）（ｂ）と方向を一致させるため、Ｘ方向またはＹ方向に画像を反転させた状態を示している。
【００５４】
図４（ｄ）には、複層基板Ｗの検査対象領域Ｒを第１の照明光照射モードにて撮像した画像に基づく検査結果が示されており、検出した異物Ｘ１〜Ｘ３，Ｙ１，Ｙ２が示されている。
図４（ｅ）には、複層基板Ｗの検査対象領域Ｒを第２の照明光照射モードにて撮像した画像に基づく検査結果が示されており、検出した異物Ｙ１が示されている。
図４（ｆ）には、複層基板Ｗの検査対象領域Ｒを第３の照明光照射モードにて撮像した画像に基づく検査結果が示されており、検出した異物Ｙ２が示されている。
図４（ｇ）には、複層基板Ｗについて、検査結果差分処理部で差分処理された結果（つまり、検査結果）が示されており、検出すべき異物Ｘ１〜Ｘ３のみが示されている。
【００５５】
この様な構成をしているため、本発明に係る基板検査装置１は、複層基板Ｗの表面に付着した異物Ｙ１，Ｙ２は検出せず、複層基板Ｗの内部に存在する異物Ｘ１〜Ｘ３のみを検出することができる。
【００５６】
［変形例１］
なお、上述では、第１の照明光照射モードとして、上方からの赤外光（つまり、赤外反射光）のみを照射する形態について説明した。しかし、この形態に限定されず、第１の照明光照射モードとして、下方からの赤外光（つまり、赤外透過光）のみを照射する形態であっても良い。具体的には、上述のステップｓ１０２に代えて、複層基板Ｗオモテ面Ｓ１側から検査対象領域Ｒに向けて赤外透過光を照射し、撮像・検査を行う（ステップｓ１１２）。
【００５７】
図５は、本発明を適用して検査する複層基板を撮像および検査した様子の別の一例を示す平面図である。図５には、複層基板Ｗの検査対象領域Ｒを赤外透過光により撮像した画像が示されている。この場合、撮像部３では、複層基板Ｗおよび内部構造物、空洞部を通過した光が明画像として撮像され、複層基板Ｗの内部に存在する異物Ｘ１〜Ｘ３と、複層基板Ｗのオモテ面Ｓ１またはウラ面Ｓ２に付着した異物Ｙ１，Ｙ２とで、赤外光が吸収または散乱して暗画像として撮像される。しかし、この場合でも所定の画像処理を行い、検査部５における検査結果としては、図４（ｄ）に示すような結果を得ることができ、差分処理後の結果も、図４（ｇ）に示すような結果を得ることができる。
【００５８】
［変形例２］
また、上述のような形態以外にも、第１の照明光照射モードとして、上述の赤外反射光と赤外透過光を共に照射する形態であっても良い。具体的には、上述のステップｓ１０２に代えて、複層基板Ｗオモテ面Ｓ１側から検査対象領域Ｒに向けて赤外反射光および赤外透過光を照射し、撮像・検査を行う（ステップｓ１２２）。
【００５９】
図６は、本発明を適用して検査する複層基板を撮像および検査した様子のさらに別の一例を示す平面図である。図６には、複層基板Ｗの検査対象領域Ｒを、赤外反射光と赤外透過光の双方を照射して撮像した画像が示されている。この場合、撮像部３では、複層基板Ｗおよび内部構造物、空洞部を通過した赤外透過光が明画像として撮像されると共に、複層基板Ｗの内部に存在する異物Ｘ１〜Ｘ３と、複層基板Ｗのオモテ面Ｓ１またはウラ面Ｓ２に付着した異物Ｙ１，Ｙ２の上面で反射した赤外光が明画像として撮像される。一方、異物Ｘ１〜Ｘ３，Ｙ１，Ｙ２の側面部は、赤外反射光が反射または散乱すると共に、赤外透過光が吸収または散乱するため、撮像部３において、これら異物の輪郭部が暗画像として撮像される。しかし、この場合でも所定の画像処理を行い、検査部５における検査結果としては、図４（ｄ）に示すような結果を得ることができ、差分処理後の結果も、図４（ｇ）に示すような結果を得ることができる。
【００６０】
なお、第１の照明光照射モードとして、いずれの形態を選択するかは、検査対象となる複層基板の材質や内部構造物のパターンや寸法、検出対象となる異物の大きさなどに応じて適宜決定すれば良い。
【００６１】
［変形例３］
なお、上述の基板検査装置１は、第１の照明光照射モードを、３種類のうち１つを選択する構成を示した。しかし、本発明を適用する上では、３種類のいずれかを備えた装置構成としても良い。例えば、赤外反射光のみを用いる場合であれば、照明部４に透過照明部４２を備えない構成とすることができる。一方、赤外透過光のみを用いる構成であれば、照明部４の反射照明部４１の光源は、可視光のみを照射するもので構成することができる。
【００６２】
［変形例４］
上述では、第１の検査モードで、複層基板Ｗオモテ面Ｓ１側を撮像部４側に向けた状態で撮像・検査を行い、検査結果Ａを取得し、可視光での検査結果Ｂ，Ｃとの差分処理をして、検査結果Ｄを取得・出力する形態について説明した。
【００６３】
しかし、赤外反射光および／または赤外透過光を用いた検査は、赤外光が複層基板Ｗの表面及び内部構造物を透過するとはいえ、表面反射による光の減衰を伴うため、複層基板Ｗの材質や厚みによっては、基板内部に潜む異物の検出が難しい場合がある。この様な場合は、複層基板Ｗオモテ面Ｓ１側を撮像部４側に向けた状態で撮像・検査を行うのみならず、複層基板Ｗを反転させた後、複層基板Ｗウラ面Ｓ２側を撮像部４側に向けた状態で撮像・検査を追加して行うことが好ましい。
【００６４】
図７は、本発明を適用して複層基板を撮像および検査する他の一例を示すフロー図である。図７には、図３を用いて説明したステップｓ１０１〜ｓ１０５（場合により、ステップｓ１０２に代えてステップｓ１１２，ｓ１２２を実施）は、同様であるが、その後は、以下に示すステップｓ１０６（又はステップｓ１１６，ｓ１２６）、ｓ１０９、ｓ１１０を行うフローが示されている。
【００６５】
このフローでは、反転して載置した複層基板Ｗのウラ面Ｓ２側から検査対象領域Ｒに向けて赤外反射光を照射し、撮像・検査を行う（ステップｓ１０６）。或いは、赤外透過光を照射し、撮像・検査を行う（ステップｓ１１６）或いは、赤外反射光と赤外透過光を併用して照射し、撮像・検査を行う（ステップｓ１２６）。ここでは、これらのいずれかステップで取得した結果を、検査結果Ａ２と呼ぶ。
【００６６】
そして、検査部５は、検査結果Ａに検査結果Ａ２を加算し、そこから検査結果Ｂ，検査結果Ｃの差分を求める演算処理を行い、検査結果Ｄ２を取得する（ステップｓ１０９）。
また、検査部５は、必要に応じて検査結果Ｄ２を出力する（ステップｓ１１０）。
【００６７】
［その他、種々の変形例］
なお、上述では、複層基板Ｗを人手で反転する場合の装置構成及び検査手順を示した。しかし、複層基板Ｗを自動で反転させて連続的に検査したい場合は、基板反転ロボット等を備えた構成としても良い。
【００６８】
なお、上述では、撮像部２は、反射照明部側に１つ備えた構成を示したが、透過照明部４３側にも備えた構成としても良い。そうすることで、複層基板Ｗのウラ面を撮像する際に基板反転させる動作を省略することができ、検査にかかる時間を短くすることができる。
【００６９】
なお、上述では、検査対象領域Ｒを撮像部３にて一括撮像する形態を例示したが、検査対象領域Ｒを複数の分割領域に区分し、それぞれの分割領域を逐次撮像する形態であっても良い。この場合、基板検査装置は、複層基板Ｗと撮像カメラ３５とを相対移動させ、いわゆるステップ・アンド・リピート方式でそれぞれの分割領域を撮像する構成とする。
【００７０】
或いは、複層基板Ｗと撮像カメラ３５とを連続的に相対移動させながら、照明光をストロボ発光させ、所定の送りピッチ毎に撮像を行う構成としても良い。このとき、ストロボ照明の発光時間は極めて短いため、移動中に撮像された画像であっても、静止画のような状態で撮像される。
【００７１】
そして、分割撮像により画像を取得した場合、検査及び差分処理は、それぞれの分割領域毎に行っても良いし、撮像した画像を１つ又はいくつかの画像に合成した後の合成画像に対して行っても良い。
【００７２】
なお、上述では、照明用の光源部４１ａ，４３ａとして白熱電球を備え、フィルタ部４１ｃ，４３ｃ及びフィルタ切替部４１ｄ、４ｄにて通過させる光を切り替える構成を例示した。しかし、この様な構成に限定されず、照明用の光源として、例えば、白色ＬＥＤや蛍光灯などの可視光領域の光を発するものと、赤外ＬＥＤなどの赤外光領域の光を発するものを備えた構成としても良い。この場合、これらの光をＯＮ／ＯＦＦ切り替える構成とし、フィルタ部やフィルタ切替部を省いた構成としても良い。
【００７３】
また、検査対象となる基板の材料がシリコンなどの赤外光を透過させ、可視光を吸収する特性を持つ場合、透過照明部４３のフィルタ部４３ｃとフィルタ切替部４３ｄを省き、可視光を含む赤外光を下方からの照明光４３Ｌとして、検査対象領域Ｒに向けて照射する構成としても良い。この場合、異物が無いところは、赤外光が通過するため明画像として撮像され、異物Ｘ１〜Ｘ３，Ｙ１，Ｙ２のあるところは暗画像として撮像される。
【００７４】
なお、上述では、本発明を具現化する形態として、上述では反射照明部の一類型として同軸落斜照明部４１を備えた構成を例示した。しかし、反射照明部は、このような形態に限定されず、破線で示す斜光照明部４５を備えた構成であっても良い。斜光照明部４５としては、破線で図示したような一方向から照明光を照射するものや、対物レンズの周りを囲む様に発光部が備えられたリング照明やドーム照明などが例示できる。
【００７５】
なお、上述では、複層基板Ｗの内部に潜む異物Ｘ１〜Ｘ３を検出する場合の検査形態について例示した。しかし、本発明を適用する上では、この形態に限らず、複層基板Ｗの内部構造物が所定の寸法および形状で形成されているかの検査（いわゆるパターン検査）をしたり、積層界面に気泡が混入していないか等を検査したりする形態にも適用可能である。
【符号の説明】
【００７６】
１    基板検査装置
２    基板保持部
３    照明部
４    撮像部
５    検査部
２０    載置テーブル
２１    Ｘ軸スライダー
２２    Ｙ軸スライダー
２３    回転機構
３１    ハーフミラー
３２    上方に放出された光
３３    鏡筒
３４    対物レンズ
３５    撮像カメラ
３６    受光素子
４１    同軸落斜照明部
４１Ｌ  照明光
４１ａ  ハロゲン光源部
４１ｂ  シャッタ部
４１ｃ  フィルタ部
４１ｄ  フィルタ切替部
４１ｆ  ファイバ部
４２    放出された光
４３    透過照明部
４３Ｌ  照明光
４３ａ  ハロゲン光源部
４３ｂ  シャッタ部
４３ｃ  フィルタ部
４３ｄ  フィルタ切替部
４３ｆ  ファイバ部
４４    照明方向切替部
４５    斜光照明部
４５Ｌ  照明光
Ｗ    複層基板
Ｓ１  複層基板の一方の面（オモテ面）
Ｓ２  複層基板の他方の面（ウラ面）
Ｇ    内部構造物
Ｒ    検査対象領域
Ｘ１  検出すべき異物
Ｘ２  検出すべき異物
Ｘ３  検出すべき異物
Ｙ１  検出したくない異物
Ｙ２  検出したくない異物
【図１】
0006368623.tif 000002
【図２】
0006368623.tif 000003
【図３】
0006368623.tif 000004
【図４】
0006368623.tif 000005
【図５】
0006368623.tif 000006
【図６】
0006368623.tif 000007
【図７】
0006368623.tif 000008